(57)【要約】【課題】テレビジョンにおいて画質や音質などの設定を行うメニュー画面における操作項目を選択する際の操作性の向上、およびユーザーに応じた操作性の向上を目的とする。【解決手段】階層化された操作項目における末端階層の操作項目の一覧を階層構造に従い並べて表示させるとともに、各操作項目にリモコン６０のチャンネルキーが対応付けられた数字の中のいずれかに対応させて画面に一覧表示させ、カーソル移動キーとカーソル選択キーとから操作入力を受け付けるか、チャンネルキーから操作入力を受け付けるかを選択する操作入力をリモコン６０から受け付ける。また受け付けた操作項目の設定処理を実行した回数を操作項目ごとに数え、回数を表す情報をＥＥＰＲＯＭ１２に記憶させ、操作項目の一覧を表示する際に設定処理を実行した回数の順に並べ替えて表示する。【選択図】図８
2007060244.tif 000002
【特許請求の範囲】
【請求項１】
映像信号を入力し、当該映像信号に対応する映像を画面に表示する映像表示回路と、
所定のフォーマットのパルスで表現した赤外線信号を受信して対応する電圧信号を生成する赤外線受光回路と、
操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、
情報を書き換え可能なＥＥＰＲＯＭと、
上記画面にＯＳＤ表示するため上記映像信号に重畳するＯＳＤ信号を生成するＯＳＤ回路を有し、上記赤外線受光回路から上記電圧信号を入力して対応するキー操作を検知することにより上記リモコンから操作入力を受け付け、受け付けた操作入力に対応したＯＳＤ信号を生成するとともに所定の階層構造で階層化された複数の操作項目を階層毎に画面に一覧表示させるＯＳＤ信号を生成し、上記映像表示回路にて表示された上記操作項目の中からいずれかを選択する操作入力を上記リモコンから受け付けるとともに選択された末端階層の上記操作項目に対応する設定処理を実行するマイコンとを備え、
上記リモコンは、一覧表示した上記複数の操作項目の中のいずれかに合わせて表示されるカーソルを移動させるためのカーソル移動キーと、同カーソルの位置の操作項目を選択内容として操作入力するためのカーソル選択キーと、互いに異なる数字に対応させた複数のチャンネルキーとを備えるテレビジョンにおいて、
上記ＥＥＰＲＯＭは、操作入力を受け付けた操作項目の設定処理を実行した回数を表す情報を記憶し、
上記マイコンは、
上記所定の階層構造における複数の階層にまたがる操作項目の一覧を上記階層構造に従って並べた複数階層操作項目一覧を画面に表示させるとともに当該複数階層操作項目一覧にて表示される末端階層の各操作項目に上記複数のチャンネルキーが対応付けられた数字の中のいずれかに対応させて画面に一覧表示させるＯＳＤ信号を生成し、
上記カーソル移動キーと上記カーソル選択キーとから操作入力を受け付けるカーソル入力設定とするか、上記複数のチャンネルキーから操作入力を受け付ける直接入力設定とするかを選択する操作入力を上記リモコンから受け付け、
上記カーソル入力設定が選択されたとき、表示された上記末端階層の各操作項目のいずれかに合わせてカーソルの位置を移動させる操作入力を上記カーソル移動キーから受け付けて当該操作入力に応じて上記カーソルの位置を移動させるとともに、上記カーソル選択キーが操作されると上記カーソルの位置の操作項目の選択入力を受け付けたものとし、
上記直接入力設定が選択されたとき、表示された上記末端階層の各操作項目に対応させた数字の中からいずれかを選択する操作入力を上記チャンネルキーから受け付け、
上記カーソル移動キーおよび上記カーソル選択キー、または、上記チャンネルキーから操作入力を受け付けた操作項目に対応する設定処理を実行することを特徴とするテレビジョン。
【請求項２】
画面に表示される複数の操作項目の中のいずれかに合わせて表示されるカーソルを移動させるためのカーソル移動キーと、同カーソルの位置の操作項目を選択内容として操作入力するためのカーソル選択キーと、互いに異なる数字に対応させた複数の数字キーとを有する操作入力手段を備え、
同複数の操作項目を画面に一覧表示して表示した操作項目の中からいずれかを選択する操作入力を上記操作入力手段から受け付けるとともに選択された操作項目に対応する設定処理を実行するテレビジョンにおいて、
上記複数の操作項目の中の各操作項目を上記複数の数字キーに対応付けられた数字の中のいずれかに対応させて画面に一覧表示する操作項目表示手段と、
上記カーソル移動キーと上記カーソル選択キーとから操作入力を受け付けるカーソル入力設定とするか、上記複数の数字キーから操作入力を受け付ける直接入力設定とするかを選択する操作入力を上記操作入力手段から受け付ける入力設定選択手段と、
上記入力設定選択手段にて上記カーソル入力設定が選択されたとき、上記複数の操作項目のいずれかに合わせたカーソルの位置を移動させる操作入力を上記カーソル移動キーから受け付けて当該操作入力に応じて上記カーソルの位置を移動させるとともに、上記カーソル選択キーが操作されると上記カーソルの位置の操作項目の選択入力を受け付けたものとするカーソル入力手段と、
上記入力設定選択手段にて上記直接入力設定が選択されたとき、上記複数の操作項目に対応させた数字の中からいずれかを選択する操作入力を上記数字キーから受け付ける直接入力手段と、
上記カーソル入力手段または上記直接入力手段にて操作入力を受け付けた操作項目に対応する設定処理を実行する設定処理実行手段
とを備えることを特徴とするテレビジョン。
【請求項３】
上記設定処理実行手段は、上記カーソル入力手段または上記直接入力手段にて操作入力を受け付けた操作項目の設定処理を実行した回数を操作項目ごとに数える計数手段を備え、
上記操作項目表示手段は、上記計数手段にて数えられた回数の順に上記操作項目の一覧を表示することを特徴とする、請求項２に記載のテレビジョン。
【請求項４】
上記操作項目表示手段は、上記操作入力手段に設けられた上記各数字キーの配置に合わせた画面上の位置に、対応する上記操作項目を各操作項目に対応させた数字とともに一覧表示することを特徴とする、請求項２または３に記載のテレビジョン。
【請求項５】
上記各数字キーは、テレビジョン放送の複数のチャンネルの中からいずれかを選択するための各チャンネルキーとされ、
上記操作入力手段は、所定の操作面に上記カーソル移動キーと上記カーソル選択キーと上記各チャンネルキーとを有するリモコンとされ、
上記操作項目表示手段は、上記リモコンの操作面に設けられた上記各チャンネルキーの配置に合わせた画面上の位置に、対応する上記各操作項目を上記対応させた数字とともに一覧表示することを特徴とする、請求項４に記載のテレビジョン。
【請求項６】
複数の操作項目が所定の階層構造で階層化されており、
上記操作項目表示手段は、上記所定の階層構造における複数の階層にまたがる操作項目の一覧を上記階層構造に従って並べた複数階層操作項目一覧を画面に表示させるとともに、当該複数階層操作項目一覧にて表示される末端階層の各操作項目に互いに異なる数字を対応させて画面に表示させ、
上記直接入力手段は、表示された上記末端階層の各操作項目に対応させた数字の中からいずれかを選択する操作入力を上記数字キーから受け付け、
上記カーソル入力手段は、上記表示された末端階層の各操作項目のいずれかに合わせてカーソルの位置を移動させる操作入力を上記カーソル移動キーから受け付けて当該操作入力に応じて上記カーソルの位置を移動させるとともに、上記カーソル選択キーが操作されると上記カーソルの位置の操作項目の選択入力を受け付けたものとすることを特徴とする、請求項２〜５のいずれかに記載のテレビジョン。
【発明の詳細な説明】
【技術分野】
【０００１】
本発明は複数の操作項目を画面に一覧表示して操作項目の選択入力を受け付けるとともに、選択入力された操作項目に対応する設定処理を実行するテレビジョンに関する。
【背景技術】
【０００２】
従来、テレビジョンにおいて画質や音質などの設定を行には、リモコンの特定のキーが操作されたとき、記憶媒体から操作項目情報を読み取って受像管に複数の操作項目を有するメニュー画面を表示し、表示した操作項目の中からいずれかを選択する操作入力をリモコンから受け付ける。ユーザーは、このメニュー画面でリモコンのカーソル移動キーにて所望の操作項目にカーソルを移動させ、特定のキー操作を行うことにより操作項目を選択し、選択した操作項目に対応する設定処理をテレビジョンに実行させることができる。
【０００３】
近年、操作項目の数が増加している等の理由により、操作項目をより少ない操作で選択できるようにするなど、テレビジョンのユーザーに応じて操作性を向上させることが望まれていた。
【特許文献１】特開２００２−１５２６４１号公報
【発明の開示】
【発明が解決しようとする課題】
【０００４】
テレビジョンにおいて画質や音質などの設定を行うメニューは一般に、操作項目が図１１のように並べて表示されている。図１１において図２のリモコン６０を使用して操作項目「コントラスト」の位置にあるカーソル１１０で操作項目「高音」１１１を選択入力するためには、カーソル移動キー６１ｃを５回押してカーソル選択キー６１ｅを一回押さなければならず計６回のリモコン操作を必要とする。
【０００５】
このような現状に鑑みて、メニュー画面における操作項目を選択する際の操作性の向上、およびユーザーに応じた操作性の向上が望まれていた。
【０００６】
なお、特許文献１に記載の技術はＤＶＤプレーヤーについての技術であり、テレビジョンについての技術ではないため上記課題を解決することは出来ない。
【０００７】
本発明は、上記課題にかんがみてなされたもので、操作項目を選択する際にテレビジョンのユーザーに応じて操作性を向上させることが可能なテレビジョンの提供を目的とする。
【課題を解決するための手段】
【０００８】
上記目的を達成するために、本発明は映像表示回路と赤外線受光回路とリモコンとＥＥＰＲＯＭとＯＳＤ回路を有するマイコンを備えるテレビジョンにおいて、上記リモコンは一覧表示した上記複数の操作項目の中のいずれかの操作項目に合わせて表示されるカーソルを移動させるためのカーソル移動キーと、同カーソルの位置の操作項目を選択内容として操作入力するためのカーソル選択キーと、互いに異なる数字に対応させた複数のチャンネルキーとを備え、上記ＥＥＰＲＯＭは操作入力を受け付けた操作項目の設定処理を実行した回数を表す情報を記憶し、上記マイコンは、所定の階層構造における複数の階層にまたがる操作項目の一覧を上記階層構造に従って並べた複数階層操作項目一覧を画面に表示させるとともに当該複数階層操作項目一覧にて表示される末端階層の各操作項目に上記複数のチャンネルキーが対応付けられた数字の中のいずれかに対応させて画面に一覧表示させるＯＳＤ信号を生成し、上記カーソル移動キーと上記カーソル選択キーとから操作入力を受け付けるカーソル入力設定とするか、上記複数の数字キーから操作入力を受け付ける直接入力設定とするかを選択する操作入力を上記リモコンから受け付け、上記カーソル移動キーと上記カーソル選択キーまたは上記複数の数字キーより操作入力を受け付けた操作項目の設定処理を実行した回数を操作項目ごとに数え、当該操作項目の設定処理を実行した回数を表す情報を上記ＥＥＰＲＯＭに記憶させ、上記カーソル入力設定が選択されたとき、表示された上記末端階層の各操作項目のいずれかに合わせてカーソルの位置を移動させるとともに、上記カーソル選択キーが操作されると上記カーソルの位置の操作項目の選択入力を受け付けたものとし、上記直接入力設定が選択されたとき、表示された上記末端階層の各操作項目に対応させた数字の中からいずれかを選択する操作入力を上記数字キーから受け付け、上記カーソル移動キーおよび上記カーソル選択キー、または、上記チャンネルキーから操作入力を受け付けた操作項目に対応する設定処理を実行する構成としてある。
【０００９】
また上記目的を達成するために、請求項２に記載のテレビジョンでは、画面に表示される複数の操作項目の中のいずれかの操作項目に合わせて表示されるカーソルを移動させるためのカーソル移動キーと、同カーソルの位置の操作項目を選択内容として操作入力するためのカーソル選択キーと、互いに異なる数字に対応させた複数の数字キーとを有する操作入力手段を備え、同複数の操作項目の中の各操作項目を上記複数の数字キーが対応付けられた数字の中のいずれかに対応させて画面に一覧表示し、上記カーソル移動キーと上記カーソル選択キーとから操作入力を受け付けるカーソル入力設定とするか、上記複数の数字キーから操作入力を受け付ける直接入力設定とするかを選択する操作入力を上記操作入力手段から受け付け、上記カーソル入力設定が選択されたとき、上記複数の操作項目のいずれかに合わせたカーソルの位置を移動させる操作入力を上記カーソル移動キーから受け付けて当該操作入力に応じて上記カーソルの位置を移動させるとともに、上記カーソル選択キーが操作されると上記カーソルの位置の操作項目の選択入力を受け付けたものとし、上記直接入力設定が選択されたとき、上記複数の操作項目に対応させた数字の中からいずれかを選択する操作入力を上記数字キーから受け付け、受け付けた操作項目に対応する設定処理を実行する構成としてある。
【００１０】
上記入力設定選択手段にて上記カーソル入力設定が選択されると、上記操作項目表示手段にて表示された上記複数の操作項目のいずれかに合わせたカーソルの位置を移動させる操作入力を上記カーソル移動キーから受け付けて当該操作入力に応じて上記カーソルの位置を移動させるとともに、上記カーソル選択キーが操作されると上記カーソルの位置の操作項目の選択入力を受け付け、上記設定処理実行手段にて操作入力を受け付けた操作項目に対応する設定処理を実行する。
【００１１】
また上記入力設定選択手段にて上記直接入力設定が選択されると、上記操作項目表示手段にて表示された上記複数の操作項目に対応させた数字の中からいずれかを選択する操作入力を上記数字キーから受け付け、上記設定処理実行手段にて操作入力を受け付けた操作項目に対応する設定処理を実行する。
【００１２】
上記操作入力手段は、画面に表示される複数の操作項目の中のいずれかの操作項目に合わせて表示されるカーソルを移動させるためのカーソル移動キーと、同カーソルの位置の操作項目を選択内容として操作入力するためのカーソル選択キーと、互いに異なる数字に対応させた複数の数字キーとを有していればよく、カーソル移動キーとカーソル選択キーおよび数字キーはスイッチと連動したボタンやダイヤル等種々の態様が採用可能である。
【００１３】
入力設定選択手段としては、上記カーソル移動キーと上記カーソル選択キーとから操作入力を受け付けるカーソル入力設定とするか、上記数字キーから操作入力を受け付ける直接入力設定とするかを選択する操作入力を受け付けることが出来ればよい。従ってメニューキーが所定の時間連続して押し下げ操作（長押し）されたときに上記カーソル入力設定と上記直接入力設定とを切り換える構成としてもよいし、上記複数の操作項目を一覧表示したメニューに上記カーソル入力設定と上記直接入力設定とを切り換える操作項目を設けてもよい。
【００１４】
また上記設定処理実行手段は、上記カーソル選択手段または上記直接入力手段にて操作入力を受け付けた操作項目の設定処理を実行した回数を数える計数手段を備える構成としてもよい。この構成により上記操作項目表示手段にて表示される上記複数の操作項目の一覧の表示順を上記計数手段にて数えられた回数の多い順に表示することが可能となり、ユーザーは頻繁に使用する操作項目をより容易に選択実行可能となる。また上記計数手段にて数えられた回数を各操作項目とともに上記複数の操作項目の一覧に表示する構成としてもかまわない。この構成ではユーザーは各操作項目の使用頻度を容易に把握することが出来る。
【００１５】
また上記操作項目表示手段は、上記操作入力手段に設けられた上記各数字キーの配置に合わせた画面上の位置に、対応する上記操作項目を各操作項目に対応させた数字とともに、上記複数の操作項目を一覧表示する構成としてもよい。この構成によりユーザーは上記操作入力手段の上記数字キーのキー位置と、当該キーに対応する画面上の操作項目とを直感的に把握することが可能となり操作性が向上する。また上記数字キーはテレビジョン放送の複数のチャンネルの中からいずれかを選択するための各チャンネルキーであってもよく、上記操作入力手段は所定の操作面に上記カーソル移動キーと上記カーソル選択キーと上記各チャンネルキーとを有するリモコンであってもよい。
【００１６】
また上記操作項目表示手段は、上記所定の階層構造における複数の階層にまたがる操作項目の一覧を上記階層構造に従って並べた複数階層操作項目一覧を画面に表示させるとともに当該複数階層操作項目一覧にて表示される末端階層の各操作項目に互いに異なる数字を対応させて画面に表示させてもよい。
当該構成においては、上記直接入力手段は表示された上記末端階層の各操作項目に対応させた数字の中からいずれかを選択する操作入力を上記数字キーから受け付け、上記カーソル入力手段は上記表示された末端階層の各操作項目のいずれかに合わせてカーソルの位置を移動させる操作入力を上記カーソル移動キーから受け付けて当該操作入力に応じて上記カーソルの位置を移動させるとともに上記カーソル選択キーが操作されると上記カーソルの位置の操作項目の選択入力を受け付けたものとする
当該構成によれば、予め分類された操作項目の一覧が画面に表示されるため、ユーザーは画面上の操作項目を把握しやすくなり、操作性が向上する。
【発明の効果】
【００１７】
以上説明したように、請求項１にかかる発明によれば、テレビジョンにおいて操作項目を選択する際、予め分類された操作項目の一覧が画面に表示されるため画面上の操作項目の把握を容易にさせるとともに、テレビジョンのユーザーに応じて操作性を向上させることが可能になる。
【００１８】
また、請求項２にかかる発明によれば、テレビジョンにおいて操作項目を選択する際にテレビジョンのユーザーに応じて操作性を向上させることが可能になる。
さらに、請求項３にかかる発明によれば、操作項目の設定処理を実行した回数の順に複数の操作項目の一覧を表示することができるため操作項目の使用頻度を一目で把握することが可能となると同時に、直接入力設定においては使用頻度の高いものほど少ない操作で実行可能となる。
さらに、請求項４、請求項５にかかる発明によれば、ユーザーは上記操作入力手段の上記数字キーのキーの位置と、当該キーに対応する画面上の操作項目とを直感的に対応付けて把握することが可能となり、操作性が向上する。
【００１９】
また請求項５にかかる発明によれば、別途数字キーを設ける必要がなく、コスト削減可能である。
そして、請求項６にかかる発明によれば、予め分類された操作項目の一覧が画面に表示されるため、ユーザーは画面上の操作項目を把握しやすくなり、さらに操作性を向上させることができる。
【発明を実施するための最良の形態】
【００２０】
以下、下記の順序に従って本発明の実施形態を説明する。
（１）本発明のテレビジョン概略構成：
（２）メニューキー押し下げ時の処理：
（３）メニューキー押し下げ時の処理の変形例１：
（４）メニューキー押し下げ時の処理の変形例２：
（５）メニューキー押し下げ時の処理の変形例３：
【００２１】
１）テレビジョンの概略構成 
図１には本願発明の実施形態にかかるテレビジョン（映像出力装置）１００の構成の概略を示している。同図に示すように、テレビジョン１００は、テレビジョン本体５０とリモコン（リモートコントロール装置）６０とを備える。本実施形態のテレビジョン本体５０は、アンテナ１０と、チューナ回路１１と、ＥＥＰＲＯＭ１２と、赤外線受光回路１４と、マイコン１５と、低周波出力回路２１と、ＩＩＣバス２７と、スピーカー２８、および映像表示回路である映像増幅・クロマ回路１３と、映像出力回路２２と、垂直偏向回路２３と、水平偏向回路２４と、高圧回路２５と、偏向コイル２６と、受像管２９とを備えている。
また本テレビジョン１００の回路には汎用的なシリアル通信バスであるＩＩＣバス２７が設けられ、ＩＩＣバス２７に接続された各部１１，１２，１３，１５が所定の通信プロトコルに従って互いにデータの送受信を行うようにされている。
【００２２】
マイコン１５は、内部に、ＣＰＵ１６、ＲＯＭ１７、ＲＡＭ１８、Ｉ／Ｏ回路１９、ＯＳＤ（オンスクリーンディスプレイ）回路２０を備えている。ＯＳＤ回路２０は、映像増幅・クロマ回路１３に接続され、受像管２９の画面にＯＳＤ表示する画像を表すＯＳＤ信号を生成し映像信号に重畳する。マイコン１５は、ＣＰＵ１６の制御により、赤外線受光回路１４から電圧信号を入力して対応するキー操作を検知するとリモコン６０からの操作入力を受け付け、受け付けた操作入力に対応したＯＳＤ信号を生成する。また、マイコン１５は複数の操作項目を画面に一覧表示させるＯＳＤ信号を生成し、受像管２９の画面に表示された操作項目の中からいずれかを選択する操作入力をリモコン６０から受け付けるとともに、選択された操作項目に対応する設定処理を実行する。なお、本実施形態では受像管から映像を出力するテレビジョンを例に取り説明するが、本発明の映像出力装置には液晶パネルから映像を出力する液晶テレビジョンやプラズマディスプレイから映像を出力するプラズマテレビジョン等も考えられる。
【００２３】
チューナ回路１１は、マイコン１５の制御により、アンテナ１０を介してテレビ放送帯域に対応した所望周波数のテレビジョン信号を受信するとともに、この受信したテレビジョン信号から所要の信号だけを選択して高周波増幅し、中間周波信号に変換して出力する。チューナ回路１１から出力された中間周波信号が映像増幅・クロマ回路１３に供給されると、映像増幅・クロマ回路１３は、マイコン１５からの制御データに基づいて、中間周波信号に各種の信号処理を施すことにより、ＲＧＢ（赤、緑、青）で表現される映像信号（ＲＧＢ信号）、同期信号および音声信号を復元する。復元された映像信号（ＲＧＢ信号）は映像出力回路２２に出力され、対応する色成分にかかる電子ビームを各電子銃から蛍光面スクリーンに向けて照射させる。また、復元された同期信号は所定の信号処理が施されたあと偏向駆動信号として高圧回路２５に出力され、電圧変換を施した後にブラウン管モニタ２９に出力されて照射された電子ビームを偏向させる。さらに、復元された音声信号は、低周波出力回路２１を経て、スピーカー２８に出力される。
【００２４】
リモコン６０は操作を受け付ける複数のキーと、上記赤外線信号を上記赤外線受光回路に向けて送信する赤外線送信回路とを有し、同複数のキーの操作に応じた赤外線信号を所定のフォーマットで送出する。例えば、図２に図示するリモコン６０を用いて所望のチャンネルを受信させるべく操作すると、赤外線送信部６５より対応する赤外線リモコン信号が送出される。そして、マイコン１５が赤外線受光回路１４を介して同赤外線リモコン信号を受信し、対応するチャンネルを受信させるように周波数データをチューナ回路１１に送出する。
【００２５】
またリモコン６０は所定の操作面６７にチャンネルキー（数字キー）６３、音量調節キー６２ａ，６２ｂ、上下左右カーソル移動キー６１ａ，６１ｂ，６１ｃ，６１ｄ、カーソル選択キー６１ｅ、およびメニューキー６４を備えている。なお、マイコンには、ＯＳＤ回路２０が備えられており、ＯＳＤ回路２０は、ＣＰＵ１６からの制御指示に基づいて各種表示に対応するＯＳＤ信号を生成するとともに、このＯＳＤ信号を映像信号に重畳して出力端子に供給する。
【００２６】
図３はリモコン６０の概略構成を示すブロック図である。リモコン６０は、制御回路５２を備え、同制御回路５２に接続された操作キー５１（図では３つの操作キーを例示）は図２の数字キー６３、音量調節キー６２ａ，６２ｂ、上下左右カーソル移動キー６１ａ，６１ｂ，６１ｃ，６１ｄ、カーソル選択キー６１ｅ、およびメニューキー６４にあたる。また制御回路５２には赤外線送信回路５６が接続されている。
【００２７】
赤外線送信回路５６は、図示しない赤外線発光素子を有しており、制御回路５２から出力される信号に対応した赤外線信号（無線信号）が、外部へ送信されるようになっている。制御回路５２は、ＣＰＵ５３、ＲＯＭ５４、ＲＡＭ５５等を備えている。そして、ＣＰＵ５３がＲＡＭ５５をワークエリアとして利用しながらＲＯＭ５４に記憶された所定のプログラムを実行し、リモコン６０全体の制御を行う。リモコン６０は、操作キーから操作入力を受け付け、入力された内容に対応する制御データを生成し、赤外線信号に変換して送信する。
【００２８】
２）メニューキー押し下げ時の処理 
以下、図４を参照して、メニュー画面から操作項目の選択入力を受け付けて対応する設定処理を実行するマイコン１５の処理を説明する。なお、図４には、当該処理をフローチャートで示してある。本フローは、テレビジョン１００の電源がオンである間は繰り返し行われる。
【００２９】
処理を開始すると、まずリモコン６０のメニューキー６４が押し下げ操作されたか否かを判断する（ステップＳ１０）。リモコン６０は、各種キーが押し下げられる操作が行われると、当該操作を検知して操作に対応するパルスで表現した赤外線信号を赤外線送信回路からテレビジョン本体に向けて送信する。すると、赤外線受光回路１４が赤外線信号を受光して対応する電圧信号を生成する。マイコン１５は赤外線受光回路１４からの電圧信号の入力を常時監視しており、電圧信号で表される情報を識別することによりリモコンに対して行われたキー操作を検知する。これにより、マイコン１５はリモコン６０からの操作入力を受け付ける。
【００３０】
つまりユーザーがリモコン６０のメニューキー６４を押し下げる操作を行うと、リモコン６０は、メニューキー６４の押し下げ操作を検知し、当該押し下げ操作に対応するパルスで表現した赤外線信号を赤外線送信回路５６からテレビジョン本体に向けて送信する。すると、赤外線受光回路１４が赤外線信号を受光して対応する電圧信号を生成し、マイコン１５は同電圧信号を識別してメニューキー６４の押し下げ操作を検知するので、ステップＳ１０では条件成立となり、ステップＳ２０に進む。なお、メニューキー６４が押し下げ操作されていない場合にはマイコン１５はメニューキー６４の押し下げ操作を検知しないので、ステップＳ１０では条件不成立となり、本フローを終了する。
【００３１】
ステップＳ２０では、現在カーソル入力設定に設定されているか直接入力設定に設定されているかを示す入力設定を表す情報をＥＥＰＲＯＭ１２より取得しＲＡＭ１８に格納する。ここでカーソル入力設定とはカーソル移動キーとカーソル選択キーとから操作入力を受け付ける設定であり、直接入力設定とは複数のチャンネルキーから操作入力を受け付ける設定である。入力設定を表す情報としてはカーソル入力設定を「１」、直接入力設定を「２」などとすればよい。そして複数の操作項目を表す情報をＲＯＭ１７より取得して当該複数の操作項目の一覧を操作項目のいずれかの位置に対応させたカーソルとともにＯＳＤ表示させるＯＳＤ信号をＯＳＤ回路２０に生成させ、映像増幅・クロマ回路１３からの映像信号に当該生成したＯＳＤ信号を重畳し、ＯＳＤ信号を重畳した映像信号を映像増幅・クロマ回路１３に対して供給する。すると、映像増幅・クロマ回路１３にてＯＳＤ信号を重畳した映像信号に対応するＲＧＢ信号が生成され、受像管２９にて同ＲＧＢ信号に対応する映像が画面に表示される。ここで、映像信号にＯＳＤ信号が重畳されているので、テレビジョン１００の画面にはカーソルとともに操作項目の一覧が表示される（ステップＳ３０）。操作項目の一覧の表示画面例を図９に示す。
以上より、図５で示したステップＳ１０〜Ｓ３０の処理を行うマイコン１５は、複数の操作項目の中の各操作項目をリモコンの複数の数字キーに対応付けられた数字の中のいずれかに対応させて画面に一覧表示する操作項目表示手段を構成する。
【００３２】
ステップＳ３０終了後、ステップＳ４０ではメニューキー６４が所定の時間押し下げ操作（長押し）されたことを検知したか否かを判断し、長押しされたことを検知すると条件成立としてステップＳ５０に進み、メニューキー６４が長押しされなかったときは条件不成立としてステップＳ６０に進む。上記長押しにおける所定の時間は２秒であっても３秒であってもよく、通常のメニューキー押し下げ操作と区別できればよい。
【００３３】
ステップＳ４０において条件成立となりステップＳ５０に進むと、ステップＳ２０で取得してＲＡＭ１８に格納した入力設定を表す情報をＲＡＭ１８より取得し、当該入力設定を表す情報が「１」であったときは「２」に、「２」であったときは「１」に変更して、ＲＡＭ１８及びＥＥＰＲＯＭ１２に格納する。
【００３４】
そしてステップＳ５０終了後またはステップＳ４０にて条件不成立と判断されたときはステップＳ６０に進み、ステップＳ６０では現在の入力設定がカーソル入力設定であるか直接入力設定であるかを判断して判断結果に応じて処理を分岐する。上述した例では、ＲＡＭ１８に格納された入力設定を表す情報を取得して当該入力設定を表す情報が「１」のときには入力設定はカーソル入力設定であると判断してステップＳ７０ａに進み、当該入力設定を表す情報が「２」のときには入力設定は直接入力設定であると判断してステップＳ７０ｂに進む。
【００３５】
以上より、図４に示すステップＳ４０〜Ｓ６０の処理を行うマイコン１５が、上記カーソル移動キーと上記カーソル選択キーとから操作入力を受け付けるカーソル入力設定とするか、上記複数の数字キーから操作入力を受け付ける直接入力設定とするかを選択する操作入力を上記操作入力手段から受け付ける入力設定選択手段を構成する。
【００３６】
上記入力設定がカーソル入力設定の場合、ステップＳ７０ａではカーソル移動キー６１ａ，６１ｂ，６１ｃ，６１ｄのいずれかの押し下げ操作を検知したか否かを判断する。カーソル移動キー６１ａ，６１ｂ，６１ｃ，６１ｄのいずれかの押し下げ操作を検知したときは条件成立とし、ステップＳ７２ａに進む。またステップＳ７０ａにてカーソル移動キー６１ａ，６１ｂ，６１ｃ，６１ｄのいずれの押し下げ操作も検知しなかったときは条件不成立としてステップＳ７４ａに進む。
【００３７】
ステップＳ７０ａにて条件成立したときはステップＳ７２ａにて上記カーソルの移動を行う。たとえば図９の（ａ）のように操作項目が画面上に配置されておりカーソルがカーソル９０に位置にあるとき、カーソル移動キー６１ａの押し下げ操作を検知したらカーソルを９２の位置に表示させ、カーソル移動キー６１ｂの押し下げ操作を検知したときはカーソルを９１の位置に表示させ、カーソル移動キー６１ｃの押し下げ操作を検知したときはカーソルを９４の位置に表示させ、カーソル移動キー６１ｄの押し下げ操作を検知したときはカーソルを９３の位置に表示させる。また図９の（ｂ）のように操作項目が画面上に配置されていてカーソルがカーソル９６の位置にあるときは、カーソル移動キー６１ａの押し下げ操作を検知したらカーソルを９７の位置に表示させ、カーソル移動キー６１ｃの押し下げ操作を検知したらカーソルを９８の位置に表示させ、カーソル移動キー６１ｂまたは６１ｄが押し下げ操作されたときにはカーソルはそのまま９６の位置に表示させる。
【００３８】
ステップＳ７２ａ終了後、またはステップＳ７０ａにて条件不成立になったとき、ステップＳ７４ａに進み、カーソル選択キー６１ｅが押し下げ操作されたことを検知したか否かを判断する。ステップＳ７４ａでカーソル選択キー６１ｅが押し下げ操作されたことを検知したときは条件成立としてステップＳ８０へと進む。ステップＳ８０ではステップＳ７４ａにおいてカーソル選択キー６１ｅ押し下げ操作時にカーソルが選択中の操作項目に対応する設定処理を行い、フローを終了する。一方ステップＳ７４ａにてカーソル選択キー６１ｅが押し下げ操作されたことを検知していないと判断したときは条件不成立とし、メニューキー６４が長押しされたか否かを判断するステップＳ４０に戻る。
【００３９】
以上より、図４に示すステップＳ７０ａ〜Ｓ７４ａの処理を行うマイコン１５は、上記入力設定選択手段にて上記カーソル入力設定が選択されたとき、上記複数の操作項目のいずれかに合わせたカーソルの位置を移動させる操作入力を上記カーソル移動キーから受け付けて当該操作入力に応じて上記カーソルの位置を移動させるとともに、上記カーソル選択キーが操作されると上記カーソルの位置の操作項目の選択入力を受け付けたものとするカーソル入力手段を構成する。
【００４０】
一方ステップＳ６０の判断処理で現在の入力設定が直接入力設定と判断されたときはステップＳ７０ｂに進み、数字キー６３のいずれかが押し下げ操作されたか否かを判断する。数字キー６３のいずれかが押し下げ操作されたことを検知したとき条件成立としてステップＳ８０へと進む。ステップＳ８０ではステップＳ７０ｂにおいて押し下げ操作された数字キーに対応付けられた操作項目に対する設定処理を行い、フローを終了する。その一方でステップＳ７０ｂにて数字キー６３のいずれも押し下げ操作されなかったときは条件不成立とし、ステップＳ４０の判断からの処理を繰り返す。
【００４１】
以上より、図４に示すステップＳ７０ｂの処理を行うマイコン１５は、上記入力設定選択手段にて上記直接入力設定が選択されたとき、上記複数の操作項目に対応させた数字の中からいずれかを選択する操作入力を上記数字キーから受け付ける直接入力手段を構成する。また図４に示すステップＳ８０の処理を行うマイコン１５は、上記カーソル入力手段または上記直接入力手段にて操作入力を受け付けた操作項目に対応する設定処理を実行する設定処理実行手段を構成する。
【００４２】
以上説明したように、当該構成ではテレビジョンにおいて操作項目を選択する際、予め分類された操作項目の一覧が画面に表示されるため画面上の操作項目の把握を容易にさせるとともに、上記カーソル入力設定と上記直接入力設定をユーザーが適宜選択することができるため操作性を向上させることが可能になる。またユーザーが上記直接入力設定を選択したときはリモコンの数字キーを操作入力することで操作項目をダイレクトに選択入力することが可能となりユーザーが目的の操作項目を選択入力するまでの操作回数を減らすことが出来る。
【００４３】
なお、上述した実施形態では、カーソル入力設定と直接入力設定とを変更する切り換え操作をメニューキーの長押しとしたが、当該切り換え操作は専用の設定切り換えキーを設けて当該設定切り換えキーの操作で行ってもかまわない。
また上記カーソル入力設定や上記直接入力設定とは異なる第三の入力設定を設け、メニューキーの長押しや専用の設定切り換えキーの操作などにより、これら入力設定が順次選択されるようにしてもよい。
【００４４】
さらに図９の（ａ）に示すように複数の選択項目の中の各操作項目を複数のチャンネルキーに対応付けられた数字の中のいずれかに対応させて画面に一覧表示する構成としてもかまわない。当該構成のようにリモコンの操作面６７に設けられた各チャンネルキーの配置に合わせた画面上の位置に、対応する操作項目を各操作項目に対応させた数字とともに一覧表示すると、ユーザーはリモコンの各チャンネルキーの位置と各チャンネルキーに対応する画面上の操作項目とを直感的に把握することが可能となり、操作性が向上する。
【００４５】
３）メニューキー押し下げ時の処理２： 
また入力設定選択を操作項目の１つとしてメニューに表示させ、操作項目が操作入力されたときにカーソル入力設定と直接入力設定とを切り換え選択する構成とすることも出来る。当該構成におけるメニューキー押し下げ時の処理のフローを図５に示す。ステップＳ１０〜Ｓ３０の処理は図４における処理と同一である。
【００４６】
ステップＳ３０終了後、ステップＳ１４０に進み、現在の入力設定がカーソル入力設定であるか直接入力設定であるかを判断して判断結果に応じて処理を分岐する。具体的にはＲＡＭ１８に格納された入力設定を表す情報を取得して、当該入力設定を表す情報が「１」のときには入力設定はカーソル入力設定であると判断してステップＳ１５０ａに進み、当該入力設定を表す情報が「２」のときには入力設定は直接入力設定であると判断してステップＳ１５０ｂに進む。
【００４７】
ステップＳ１５０ａではカーソル移動キーの押し下げ操作を検知したか否かの判断を行う。カーソル移動キー６１ａ，６１ｂ，６１ｃ，６１ｄのいずれかの押し下げ操作を検知したときは条件成立とし、ステップＳ１５２ａに進む。またステップＳ１５０ａにてカーソル移動キー６１ａ，６１ｂ，６１ｃ，６１ｄのいずれの押し下げ操作も検知しなかったときは条件不成立としてステップＳ１５４ａに進む。
【００４８】
ステップＳ１５０ａにて条件成立したときは押し下げを検知したカーソル移動キーに応じてステップＳ１５２ａにて上記カーソルの移動を行う。
【００４９】
ステップＳ１５２ａ終了後、またはステップＳ１５０ａにて条件不成立になったとき、ステップＳ１５４ａに進み、カーソル選択キー６１ｅの押し下げを検知したか否かを判断する。ステップＳ１５４ａではカーソル選択キー６１ｅが押し下げ操作されたことを検知したときは条件成立としてステップＳ１５６ａへと進む。一方ステップＳ１５４ａにてカーソル選択キー６１ｅが押し下げ操作されたことを検知しなかったときは条件不成立とし、ステップＳ１５０ａの判断からの処理を繰り返す。
【００５０】
ステップＳ１５６ａではステップＳ１５４ａにおいてカーソル選択キー６１ｅ押し下げ操作時にカーソルが選択中の操作項目が入力設定を選択するための操作項目であるか否かを判断する。この入力設定を選択するための操作項目としては、例えば入力設定を直接入力設定に変更する「直接入力設定選択」と入力設定をカーソル入力設定に変更する「カーソル入力設定」の２つを操作項目とする構成が考えられる。それ以外にも入力設定を現在の入力設定が直接入力設定選択ならカーソル入力設定に、カーソル入力設定なら直接入力設定選択にそれぞれ変更する「入力設定切り換え」の操作項目を設ける構成としてもよい。当該フローでは前者の構成で説明する。
【００５１】
ステップＳ１５６ａではステップＳ１５４ａで選択入力された操作項目が「直接入力設定選択」または「カーソル入力設定」のときは条件成立としてステップＳ１５８ａに進む。そしてステップＳ１５８ａではＲＡＭ１８およびＥＥＰＲＯＭ１２に格納された入力設定を表す情報をステップＳ１５４ａで選択入力された操作項目に合わせて変更して格納し、ステップＳ１４０の判断からの処理を繰り返す。一方ステップＳ１５４ａで選択入力された操作項目が「直接入力設定選択」と「カーソル入力設定」以外の操作項目であるときは条件不成立としてステップＳ１６０へと進む。
【００５２】
一方、ステップＳ１４０で入力設定が直接入力設定であると判断されたときはステップＳ１５０ｂに進み、数字キーの押し下げ操作を検出したか否かを判断する。そして数字キーの入力が検出されないときは条件不成立として、数字キーの入力を検出するまで当該ステップＳ１５０ｂを繰り返す。そして数字キーの入力を検出すると条件成立とし押し下げ操作された数字キーに対応付けられた操作項目の選択入力を受け付け、ステップＳ１５２ｂに進む。
【００５３】
ステップＳ１５２ｂではステップＳ１５０ｂで選択入力された操作項目が「直接入力設定選択」または「カーソル入力設定」であるか否かを判断する。選択入力された操作項目が「直接入力設定選択」または「カーソル入力設定」のときは条件成立としてステップＳ１５４ｂに進み、選択入力された操作項目がこれら以外の操作項目であるとき条件不成立としてステップＳ１６０へと進む。ステップＳ１５４ｂではＲＡＭ１８およびＥＥＰＲＯＭ１２に格納された入力設定を表す情報をステップＳ１５０ａで選択入力された操作項目に合わせて変更して格納し、ステップＳ１４０の判断からの処理を繰り返す。
【００５４】
そしてステップＳ１６０ではステップＳ１５４ａまたはステップＳ１５０ｂで選択入力を受け付けた操作項目に対応する処理を行い、フローを終了する。
【００５５】
４）メニューキー押し下げ時の処理の変形例２： 
ところで、複数の操作項目を画面に一覧表示するメニューにおいて当該複数の操作項目を所定の階層構造で階層化させても構わない。図７に所定の階層構造で階層化された操作項目の一例を示す。リモコン６０のメニューキー６４が押し下げ操作されたときテレビジョンの画面に最初に表示されるメインメニューには、操作項目を大きく分類した操作項目である、「画質」、「音質」、「チャンネル設定」、「予約」、などが表示されるメニューブロックを表示する。次に大きく分類した操作項目をリモコン６０にて選択入力するとサブメニューのメニューブロックが画面に表示される。例えばメインメニューで「画質」を選択入力したときは、サブメニューにおいて、「戻る」、「コントラスト」、「輝度」、「明るさ」、「色の濃さ」、「シャープネス」、などの操作項目が表示される。
【００５６】
このとき  上記所定の階層構造における複数の階層にまたがる操作項目の一覧を上記階層構造に従って並べた複数階層操作項目一覧を画面に表示させるとともに当該複数階層操作項目一覧にて表示される末端階層の各操作項目に互いに異なる数字を対応させて画面に表示させる構成としてもかまわない。図１０に所定の階層構造における複数の階層にまたがる操作項目の一覧を階層構造に従って並べた複数階層操作項目一覧を画面に表示させるとともに当該複数階層操作項目一覧にて表示される末端階層の各操作項目に互いに異なる数字を対応させて画面に表示した一例を示す。画面左端に「音質」、「画質」、「チャンネル設定」などの最上位階層の操作項目名を表示し、それぞれの最上位階層の操作項目名の右に各最上位階層の操作項目の下位側階層にあたる末端階層の操作項目名を並べて表示してある。「音質」の右には「１．高音」、「２．低音」、「３．サラウンド」など音質を設定するための操作項目を表示する。「画質」の右には「４．コントラスト」、「５．輝度」、「６．明るさ」などの画質を設定するための操作項目を表示する。「チャンネル設定」の右には「７．チャンネル１」、「８．チャンネル２」、「９．チャンネル３」・・・のようにチャンネルを設定するための操作項目を表示する。そしてそれぞれの末端階層の操作項目には互いに異なる数字を対応させて表示している。
【００５７】
以下、メニュー画面から操作項目の選択入力を受け付けて対応する設定処理を実行するマイコン１５の処理を、図６を参照ながら説明する。ステップＳ１０、Ｓ２０、ステップＳ４０〜Ｓ８０の処理は図４における処理と同一である。ステップＳ２０終了後、ステップＳ２１０では上記所定の階層構造における末端階層の操作項目の一覧の情報をＲＯＭ１７より取得する。ＲＯＭ１７に格納された図７で示した階層構造の情報には操作項目が末端であるか否かを表す情報が含まれており、当該情報に基づいて操作項目が階層の末端であるか否かを判断することができる。そして図１０のように上記所定の階層構造における末端階層の操作項目の一覧において、各操作項目に互いに異なる数字を対応させ、操作項目のいずれかの位置に対応させたカーソルとともに当該一覧をＯＳＤ表示させるＯＳＤ信号をＯＳＤ回路２０に生成させ、映像増幅・クロマ回路１３からの映像信号に当該生成したＯＳＤ信号を重畳し、ＯＳＤ信号を重畳した映像信号を映像増幅・クロマ回路１３に対して供給する。すると、映像増幅・クロマ回路１３にてＯＳＤ信号を重畳した映像信号に対応するＲＧＢ信号が生成され、受像管２９にて同ＲＧＢ信号に対応する映像が画面に表示される。ここで、映像信号にＯＳＤ信号が重畳されているので、テレビジョン１００の画面にはカーソルとともに操作項目の一覧が表示される（ステップＳ２２０）。
【００５８】
ステップＳ２２０終了後実行されるステップＳ４０〜Ｓ６０は図４における処理と同一である。ステップＳ６０で入力設定がカーソル入力設定と判断されたときはステップＳ２３０ａへ進み、入力設定が直接入力設定であると判断されたときはステップＳ２３０ｂに進む。ステップＳ２３０ａではカーソル移動キー６１ａ，６１ｂ，６１ｃ，６１ｄのいずれかの押し下げ操作を検知したか否かを判断する。カーソル移動キーの押し下げを検知したときは条件成立としてステップＳ２３２ａに進み、ステップＳ２３０ａにてカーソル移動キーの押し下げ操作を検知しなかったときは条件不成立としてステップＳ２３４ａに進む。これらステップＳ２３０ａからステップＳ２３２ａにおける処理は図４におけるステップＳ７０ａおよびＳ７２ａにおける処理と同一である。
【００５９】
ステップＳ２３０ａにて条件成立したときはステップ２３０ａにて押し下げ操作を検知したカーソル移動キーに応じてステップＳ２３２ａにてカーソルの移動を行う。例えば図１０においてカーソルがカーソル１２０の位置にあるとし、このとき「５．輝度」乃一にカーソルを移動したいときは、まずカーソル移動キー６１ｃの押し下げ操作を行い、カーソルを「画質」の位置に移動させる。次にカーソル移動キー６１ｄの押し下げ操作をするとカーソルが「４．コントラスト」の位置に表示される。そしてさらにカーソル移動キー６１ｄを押し下げ操作するとカーソルが「５．輝度」の位置に表示される。また、「５．輝度」から「２．サラウンド」にカーソルを移動させたいときはカーソル移動キー６１ｂを２回、カーソル移動キー６１ａを一回、カーソル移動キー６１ｄを３回それぞれ順番に押し下げ操作することで移動させることが出来る。
【００６０】
ステップＳ２３２ａ終了後、またはステップＳ２３０ａにて条件不成立になったとき、ステップＳ２３４ａに進み、カーソル選択キー６１ｅが押し下げ操作されたことを検知したか否かを判断する。ステップＳ２３４ａでカーソル選択キー６１ｅが押し下げ操作されたことを検知したときは条件成立としてステップＳ２４０へ進む。ステップＳ２４０ではステップＳ２３４ａにおいてカーソル選択キー６１ｅ押し下げ操作時にカーソルが選択中の操作項目に対する設定処理を行い、フローを終了する。一方ステップＳ２３４ａにてカーソル選択キー６１ｅが押し下げ操作されたことを検知していないと判断したときは条件不成立とし、メニューキー６４が長押しされたか否かを判断するステップＳ４０に戻る。
【００６１】
一方ステップＳ６０で入力設定が直接入力設定と判断されたときはステップＳ２３０ｂに進む。ステップＳ２３０ｂでは、数字キー６３のいずれかが押し下げ操作されたことを検知したか否かを判断する。数字キー６３のいずれかが押し下げ操作されたことを検知したとき条件成立としてステップＳ８０へと進む。当該ステップにおいて選択入力されるのは表示された操作項目の一覧の中で末端階層の操作項目のみである。具体的には、図１０のメニュー画面を例にとって説明すると、数字キー「１」の操作入力を検知すると操作項目「高音」が選択入力されたものとし、数字キー「２」の操作入力を検知すると操作項目「低音」が選択入力されたものとする。以下「３」、「４」、「５」、「６」、「７」、「８」、「９」は「サラウンド」、「コントラスト」、「輝度」、「明るさ」、「チャンネル１」、「チャンネル２」、「チャンネル３」の操作項目にそれぞれ対応することになる。そしてステップＳ８０ではステップＳ２３０ｂにおいて押し下げ操作された数字キーに対応付けられた操作項目に対する設定処理を行い、フローを終了する。また、ステップＳ２３０ｂにて数字キー６３が押し下げ操作されたことを検知していないと判断したときは条件不成立とし、ステップＳ４０の判断からの処理を繰り返す。
【００６２】
以上の構成により、予め分類された操作項目の一覧が画面に表示されるため、ユーザーは画面上の操作項目を把握しやすく、直接入力設定では操作項目を選択するのに押し下げ操作を１回しか必要としないため、さらに操作性を向上させることができる
【００６３】
５）メニューキー押し下げ時の処理の変形例３： 
さらに上記設定処理実行手段に上記カーソル入力手段または上記直接入力手段にて操作入力を受け付けた操作項目の設定処理を実行した回数を数える計数手段を備えさせ、上記操作項目表示手段にて複数の操作項目を画面に一覧表示するときに上記計数手段で数えられた各操作項目の設定処理を実行した回数の順に上記複数の操作項目の一覧を表示する構成としてもよい。
【００６４】
当該構成におけるマイコン１５の処理を図８に示す。ステップＳ１０〜Ｓ２０，Ｓ４０〜Ｓ６０、Ｓ７０ａ〜Ｓ７４ａ，Ｓ７０ｂ，Ｓ８０の処理は図４における処理と同一である。また当該構成において計数手段にて数えられる回数を表すデータは各操作項目を示す情報とともにＥＥＰＲＯＭ１２に格納される。
【００６５】
ステップＳ１０およびステップＳ２０終了後、各操作項目の実行回数を表すデータをＥＥＰＲＯＭ１２より取得し、各操作項目を表示する順番を実行回数順（多い順または少ない順）にソートし（ステップＳ４１０）、ＲＯＭ１７に記憶された複数の操作項目を表す情報に基づいて、当該複数の操作項目の一覧を実行回数順に画面表示させるＯＳＤ信号をＯＳＤ回路に生成させ、受像管２９に操作項目の一覧を画面表示させる（ステップＳ４２０）。
【００６６】
そしてステップＳ７４ａまたはＳ７０ｂの判断処理にて条件成立したときステップＳ４３０に進む。ステップＳ４３０では、ステップＳ７０ａでカーソル選択キー６１ｅ押し下げ操作時にカーソルが選択中の操作項目またはＳ７０ｂにて押し下げ操作された数字キーに対応付けられた操作項目に対応する設定処理を実行した回数のデータを、ＥＥＰＲＯＭ１２の当該データを格納するアドレスの情報を取得し、当該アドレスにおける実行回数データを１増やした値に変更して格納する（インクリメント）。これにより、操作入力を受け付けた操作項目の設定処理を実行した回数が操作項目ごとに数えられる。しかる後にステップＳ８０を実行してフローを終了する。
【００６７】
以上より、図８に示すステップＳ４３０の処理を行うマイコン１５が、上記カーソル入力手段または上記直接入力手段にて操作入力を受け付けた操作項目の設定処理を実行した回数を操作項目ごとに数える計数手段を構成する。
以上説明したように、当該構成では操作項目の実行回数の順に複数の操作項目の一覧を表示することができるため操作項目の使用頻度を一目で把握することが可能となると同時に、直接入力設定においては使用頻度の高いものほど少ない操作で実行可能となる。
【図面の簡単な説明】
【００６８】
【図１】本発明のテレビジョンの概略構成を示すブロック図である
【図２】本発明のリモコンの一例を示す図である
【図３】本発明のリモコンの概略構成を示すブロック図である
【図４】本発明のメニュー操作処理のフローチャートである
【図５】本発明のメニュー操作処理の第一の変形例のフローチャートである
【図６】本発明のメニュー操作処理の第二の変形例のフローチャートである
【図７】所定の階層構造で階層化された操作項目の一例である
【図８】本発明のメニュー操作処理の第三の変形例のフローチャートである
【図９】図４、図５、図６にかかるテレビジョンのメニュー画面例
【図１０】図８にかかるテレビジョンのメニュー画面例
【図１１】従来のテレビジョンのメニュー画面例
【符号の説明】
【００６９】
１００…テレビジョン
１０…アンテナ
１１…チューナ回路
１２…ＥＥＰＲＯＭ
１３…映像増幅・クロマ回路
１４…赤外線受光回路
１５…マイコン
１６…ＣＰＵ
１７…ＲＯＭ
１８…ＲＡＭ
１９…Ｉ／Ｏ回路
２０…ＯＳＤ（オンスクリーンディスプレイ）回路
２１…低周波出力回路
２２…映像出力回路
２３…垂直偏向回路
２４…水平偏向回路
２５…高圧回路
２６…偏向コイル
２７…ＩＩＣバス
２８…スピーカー
２９…受像管
５１…操作キー
５２…制御回路
５３…ＣＰＵ
５４…ＲＯＭ
５５…ＲＡＭ
５６…赤外線送信回路
６０…リモコン
６１ａ，６１ｂ，６１ｃ，６１ｄ…カーソル移動キー
６１ｅ…カーソル選択キー
６２ａ，６２ｂ…音量調節キー
６３…数字キー（チャンネルキー）
６４…メニューキー
６５…赤外線送信部
６６…電源キー
【図１】
2007060244.tif 000003
【図２】
2007060244.tif 000004
【図３】
2007060244.tif 000005
【図４】
2007060244.tif 000006
【図５】
2007060244.tif 000007
【図６】
2007060244.tif 000008
【図７】
2007060244.tif 000009
【図８】
2007060244.tif 000010
【図９】
2007060244.tif 000011
【図１０】
2007060244.tif 000012
【図１１】
2007060244.tif 000013